(57)【特許請求の範囲】
【請求項１】
野地板の側端部から荒破風の上端部までを覆うケラバ包みと、荒破風の上端部から下端部までを覆う破風化粧板とからなり、ケラバ包みが、野地端部カバー片を備え、野地端部カバー片に荒破風側に突出する突出部が設けられ、荒破風の上端部とケラバ包みの間に破風化粧板の上端部をスライド片として差し込んだ状態で破風化粧板を上下スライド移動自在に形成して成ることを特徴とするケラバの納め構造。
【請求項２】
ケラバ包みと破風化粧板のスライド片とを荒破風に同時に固定して成ることを特徴とする請求項１に記載のケラバの納め構造。
【請求項３】
破風化粧板の下端部を荒破風の下部外面に当接した状態で、この当接箇所で固定して成ることを特徴とする請求項１又は２に記載のケラバの納め構造。
【請求項４】
破風化粧板の下端に荒破風の下端面よりも下側に位置するカバー片を設けて成ることを特徴とする請求項１乃至３のいずれか一項に記載のケラバの納め構造。
【請求項５】
荒破風の下端よりも下側にＬ型固定具を設け、このＬ型固定具にカバー片を引っ掛け固定して成ることを特徴とする請求項４に記載のケラバの納め構造。
【請求項６】
ケラバ包みの荒破風の上端部を覆う部分に外側下方に向かって傾斜する接続片を形成して成ることを特徴とする請求項１乃至５のいずれか一項に記載のケラバの納め構造。
【請求項７】
ケラバ包みが捨て水切りとケラバ包み本体とからなり、捨て水切りが野地板の上に配設される水平片と、水平片の一端から立ち上げた立ち上げ片と、立ち上げ片の下端から野地板の側端部まで延出される捨て水切り固定片とを備え、ケラバ包み本体が水平片と略平行に位置する小口カバー片と、小口カバー片から外方に延出される上カバー片と、上カバー片の外方端部から下方に延出される野地端部カバー片と、野地端部カバー片から荒破風に向かって延出される接続片と、接続片の端部から荒破風の上部外面を覆う固定カバー片とを備えて成ることを特徴とする請求項１乃至６のいずれか一項に記載のケラバの納め構造。
【請求項８】
捨て水切り固定片の端部から上方に立ち上げて野地端部カバー片の内面に当接する当接片を備え、立ち上げ片の上端に小口カバー片を引っ掛け固定して成ることを特徴とする請求項７に記載のケラバの納め構造。
【請求項９】
破風化粧板に野地端部カバー片と面一あるいは野地端部カバー片よりも内側まで凸状部を形成して成ることを特徴とする請求項１乃至８のいずれか一項に記載のケラバの納め構造。
【発明の詳細な説明】
【技術分野】
【０００１】
本発明は、屋根のケラバ部分の化粧等を行うことができるケラバ部の納め構造に関するものである。
【背景技術】
【０００２】
従来より、屋根の妻面側には役物（ケラバ水切り）４５を取り付けることが行われている（例えば、特許文献１参照）。図１０（ａ）のように、野地板２０の上にはルーフィング３０が敷設されており、野地板２０の側端部（ケラバ端部）２０ａの上にはルーフィング３０を介してのぼり木４０が取り付けられている。また、野地板２０の側端部２０ａの下側には荒破風２１が取り付けられていると共に、その表面には化粧破風板４１が設けられている。図１０（ｂ）に示すように、ケラバ水切り４５は野地板２０の側端面、のぼり木４０、野地板２０の側部上面を覆うように配置されて、のぼり木４０にビス等で固定されるものである。尚、３１は垂木、３２は軒天井、３３は桟材を示す。
【０００３】
一方、ケラバ部を強調したデザインとしたものは、ボードやアルミニウム成形品などで形成されていることが多く、ホームメーカー各社での規格化されたサイズ（勾配や荒破風の大きさ等）で設計されているため、野地板を覆う部分と荒破風を覆う部分とが一体的に形成されている。従って、ホームメーカー各社や工務店によって異なるディテールには対応して、ケラバの納め構造を形成することが難しいという問題があった。
【特許文献１】特開平６−９３６９１号公報
【発明の開示】
【発明が解決しようとする課題】
【０００４】
本発明は上記の点に鑑みてなされたものであり、各種のディテールに対応することができるケラバの納め構造を提供することを目的とするものである。
【課題を解決するための手段】
【０００５】
本発明の請求項１に係るケラバの納め構造は、野地板２０の側端部２０ａから荒破風２１の上端部２１ａまでを覆うケラバ包みＡと、荒破風２１の上端部２１ａから下端部２１ｂまでを覆う破風化粧板Ｂとからなり、ケラバ包みＡが、野地端部カバー片５を備え、野地端部カバー片５に荒破風２１側に突出する突出部３５が設けられ、荒破風２１の上端部２１ａとケラバ包みＡの間に破風化粧板Ｂの上端部をスライド片８として差し込んだ状態で破風化粧板Ｂを上下スライド移動自在に形成して成ることを特徴とするものである。
【０００６】
本発明の請求項２に係るケラバの納め構造は、請求項１において、ケラバ包みＡと破風化粧板Ｂのスライド片８とを荒破風２１に同時に固定して成ることを特徴とするものである。
【０００７】
本発明の請求項３に係るケラバの納め構造は、請求項１又は２において、破風化粧板Ｂの下端部２３を荒破風２１の下部外面に当接した状態で、この当接箇所で固定して成ることを特徴とするものである。
【０００８】
本発明の請求項４に係るケラバの納め構造は、請求項１乃至３のいずれか一項において、破風化粧板Ｂの下端に荒破風２１の下端面よりも下側に位置するカバー片１０を設けて成ることを特徴とするものである。
【０００９】
本発明の請求項５に係るケラバの納め構造は、請求項４において、荒破風２１の下端よりも下側にＬ型固定具Ｃを設け、このＬ型固定具Ｃにカバー片１０を引っ掛け固定して成ることを特徴とするものである。
【００１０】
本発明の請求項６に係るケラバの納め構造は、請求項１乃至５のいずれか一項において、ケラバ包みＡの荒破風２１の上端部２１ａを覆う部分に外側下方に向かって傾斜する接続片６を形成して成ることを特徴とするものである。
【００１１】
本発明の請求項７に係るケラバの納め構造は、請求項１乃至６のいずれか一項において、ケラバ包みＡが捨て水切りＡ１とケラバ包み本体Ａ２とからなり、捨て水切りＡ１が野地板２０の上に配設される水平片１と、水平片１の一端から立ち上げた立ち上げ片２と、立ち上げ片２の下端から野地板２０の側端部２０ａまで延出される捨て水切り固定片１１とを備え、ケラバ包み本体Ａ２が水平片１と略平行に位置する小口カバー片３と、小口カバー片３から外方に延出される上カバー片４と、上カバー片４の外方端部から下方に延出される野地端部カバー片５と、野地端部カバー片５から荒破風２１に向かって延出される接続片６と、接続片６の端部から荒破風２１の上部外面を覆う固定カバー片７とを備えて成ることを特徴とするものである。
【００１２】
本発明の請求項８に係るケラバの納め構造は、請求項７において、捨て水切り固定片１１の端部から上方に立ち上げて野地端部カバー片５の内面に当接する当接片１２を備え、立ち上げ片２の上端に小口カバー片３を引っ掛け固定して成ることを特徴とするものである。
【００１３】
本発明の請求項９に係るケラバの納め構造は、請求項１乃至８のいずれか一項において、破風化粧板Ｂに野地端部カバー片５と面一あるいは野地端部カバー片５よりも内側まで凸状部１３を形成して成ることを特徴とするものである。
【発明の効果】
【００１４】
請求項１の発明では、ケラバ包みＡに風圧等が作用しても突出部３５により、野地端部カバー片５の剛性が増すため、強風によるバタつき、変形等を防止することができるものである。また、破風化粧板Ｂをケラバ包みＡに対して上下スライド移動させることによって、荒破風２１の上下方向の長さに対応してケラバ包みＡからの破風化粧板Ｂの突出長さを変えることができ、各種のディテールに対応することができるものである。
【００１５】
請求項２の発明では、ケラバ包みＡの固定と破風化粧板Ｂの固定とを簡単に行うことができ、施工の簡略化を図ることができるものである。
【００１６】
請求項３の発明では、破風化粧板Ｂの下端部２３を荒破風２１に強固に固定することができ、破風化粧板Ｂによる化粧や防水性、防火性を高めることができるものである。
【００１７】
請求項４の発明では、カバー片１０で荒破風２１の下端面を覆うことができ、破風化粧板Ｂによる化粧や防水性、防火性を高めることができるものである。
【００１８】
請求項５の発明では、ビス等の固定具を使用しなくても係止により破風化粧板Ｂを取り付けることができ、施工の簡略化を図ることができるものである。
【００１９】
請求項６の発明では、接続片６により水切り性能を高くすることができ、防水性を向上させることができるものである。
【００２０】
請求項７の発明では、捨て水切りＡ１とケラバ包み本体Ａ２との位置調整を行うことができ、各種のディテールに対応することができるものである。
【００２１】
請求項８の発明では、捨て水切りＡ１に対するケラバ包み本体Ａ２の位置決めと係止とを容易に行うことができ、施工を効率よく行うことができるものである。
【００２２】
請求項９の発明では、凸状部１３で破風化粧板Ｂの外面に意匠性を付与することができ、ケラバの外観を向上させることができるものである。
【発明を実施するための最良の形態】
【００２３】
以下、本発明を実施するための最良の形態を説明する。
【００２４】
図１に実施の形態の一例を示す。このケラバの納め構造では、野地板２０等を備えて形成される屋根下地のケラバ部分に、ケラバ包みＡと破風化粧板ＢとＬ型固定具Ｃとを取り付けて形成することができる。
【００２５】
屋根下地のケラバ部分は、野地板２０の側端部（ケラバ端部）２０ａの下面に垂木３１を設けると共に垂木３１よりも外側（野地板２０の端面側）において野地板２０の側端部２０ａの下面に荒破風２１を設けて形成されている。また、荒破風２１の下端部２１ｂの内面（野地板２０の端面と反対側）に桟材３３を設けると共に桟材３３の下面と荒破風２１の下面とを覆うようにして軒天井３２が設けられている。また、野地板２０の上面にはルーフィング３０が敷設されている。
【００２６】
ケラバ包みＡと破風化粧板Ｂは、カラー塗装鋼板などの金属板を折り曲げ加工するなどして形成されるものである。
【００２７】
ケラバ包みＡは、野地板２０の側端部２０ａの上面にルーフィング３０を介して載置される水平片１と、水平片１の一端（野地板２０の端面側）から立ち上げた立ち上げ片２と、立ち上げ片２の上端から水平片１と略平行に対向して位置する小口カバー片３と、小口カバー片３から外方（野地板２０の端面側）に延出される上カバー片４と、上カバー片４の外方端部から下方に延出される野地端部カバー片５と、野地端部カバー片５の下端から荒破風２１の外面の方に向かって延出される接続片６と、接続片６の端部から荒破風２１の上部外面を覆う固定カバー片７とを備えて形成されている。従って、ケラバ包みＡは少なくとも荒破風２１よりも外側（屋外側）に突出する野地板２０の側端部２０ａを覆うことができる。すなわち、上カバー片４と野地端部カバー片５と接続片６とで囲まれる空間に、野地板２０の側端部２０ａの突出部分を収納することができる。よって、野地板キャップ等を用いなくても防火性を高めることができ、また、防水性や意匠性も高めることができるものである。
【００２８】
破風化粧板Ｂは、図２（ａ）に示すように、荒破風２１と固定カバー片７との間に差し込まれているスライド片８と、スライド片８の下端から下方に向かって突出する破風化粧片９と、破風化粧片９の下端から軒天井３２の側端部３２ａの下側に突出するカバー片１０とを備えて形成されている。破風化粧片９には複数本の凸状部１３が上下に並べて設けられている。凸状部１３はケラバに沿って長く形成されているが、野地端部カバー片５の外面よりも外側には突出せず、野地端部カバー片５の外面よりも内側（屋内側）か、野地端部カバー片５の外面と凸状部１３の外面とが面一になるように形成されている。また、カバー片１０はＬ型固定具Ｃに係止されている。図２（ｂ）に示すように、Ｌ型固定具Ｃはアングル材を用いることができ、荒破風２１の下部外面から軒天井３２の側端部３２ａの下面にわたるように取り付けられている。そして、カバー片１０の先端に設けた係止片１０ａを軒天井３２の下側でＬ型固定具Ｃの先端に係止するようにしている。これにより、破風化粧板Ｂの下端をビス留めなどすることなく、引っ掛けて固定することができ、施工性を高めることができる。
【００２９】
そして、本発明では、荒破風２１の上端部２１ａとケラバ包みＡの固定カバー片７との間に破風化粧板Ｂの上端部をスライド片８として差し込んだ状態で、破風化粧板Ｂを上下スライド移動自在に形成したものである。図１（ａ）に示す荒破風２１の上下寸法は、図１（ｂ）に示す荒破風２１の上下寸法よりも大きい。従って、図１（ａ）の場合に比べて図１（ｂ）のものでは、破風化粧板Ｂを上方にスライド移動させて取り付けるものである。このように本発明で用いるケラバ包みＡと破風化粧板Ｂでは異なる上下寸法を有する荒破風２１に対しても適用することができるものである。また、固定カバー片７の外面からスライド片８を貫通してビス等の固定具を打ち込むことによって、固定カバー片７とスライド片８とを同時に荒破風２１に固定することができ、ケラバ包みＡと破風化粧板Ｂの取り付けを容易に行うことができるものである。
【００３０】
図３、４に他の実施の形態を示す。図３（ａ）及び図４（ａ）のものは凸状部１３の形状や本数が異なるだけで、その他の構成は図１（ａ）と同じである。また、図３（ｂ）及び図４（ｂ）のものは凸状部１３の形状や本数が異なるだけで、その他の構成は図１（ｂ）と同じである。
【００３１】
図５に他の実施の形態を示す。図５（ａ）は図１（ａ）において野地端部カバー片５に荒破風２１側に突出する突出部３５を設けたものであり、その他の構成は図１（ａ）のものと同様である。図５（ｂ）は図３（ａ）において野地端部カバー片５に突出部３５を設けたものであり、その他の構成は図３（ａ）のものと同様である。図５（ｃ）は図４（ａ）において野地端部カバー片５に突出部３５を設けたものであり、その他の構成は図４（ａ）のものと同様である。突出部３５はケラバに沿って形成されるものであり、野地板２０の側端部２０ａの下側に位置するものである。従って、ケラバ包みＡに風圧等が作用しても突出部３５により、野地端部カバー片５の剛性が増すため、強風によるバタつき、変形等を防止することができる。
【００３２】
図６に他の実施の形態を示す。図６（ａ）は図１（ａ）に比べて接続片６の傾斜を急にした（鉛直に近づけた）ものであり、その他の構成は図１（ａ）のものと同様である。図６（ｂ）は図３（ａ）に比べて接続片６の傾斜を急にした（鉛直に近づけた）ものであり、その他の構成は図３（ａ）のものと同様である。図６（ｃ）は図４（ａ）に比べて接続片６の傾斜を急にした（鉛直に近づけた）ものであり、その他の構成は図４（ａ）のものと同様である。このように野地板２０の側端部２０ａの突出寸法が小さい場合でも、野地板２０の側端部２０ａの上面から荒破風２１の上端部２１ａまでをケラバ包みＡで覆うことができるものである。
【００３３】
図７に他の実施の形態を示す。このケラバの納め構造では、図１（ａ）において接続片６を外方下方に傾斜するように形成したものであり、その他の構成は図１（ａ）のものと同様である。尚、符号３６は固定カバー片７とスライド片８とを貫通して荒破風２１に打ち込まれるビス等の固定具である。そして、このものでは、野地端部カバー片５の外面を流れ落ちる雨水Ｒが接続片６の下側に回り込まないようにすることができ、水切り性能を高くすることができるものである。
【００３４】
図８に他の実施の形態を示す。このケラバの納め構造では、破風化粧板Ｂの破風化粧片９の下端部２３をビス等の固定具２２で荒破風２１の下部外面に当接した状態で固定するものであり、その他の構成は上記図１（ａ）のものと同様である。この場合、Ｌ型固定具Ｃを用いる必要がなくなって、部品点数の減少による低コスト化を図ることができるものである。尚、このように破風化粧片９の下端部２３を固定する場合はカバー片１０を軒天井３２の側端部３２ａの下側に折り曲げなくても良く、想像線で示すように、カバー片１０を下端部２３からそのまま下方に突出させるようにしてもよい。
【００３５】
図９に他の実施の形態を示す。このケラバの納め構造では、ケラバ包みＡを捨て水切りＡ１とケラバ包み本体Ａ２とで形成している。捨て水切りＡ１は捨て水切りＡ１が野地板２０の上に配設される水平片１と、水平片１の一端から立ち上げた立ち上げ片２と、立ち上げ片２の下端から野地板２０の側端部２０ａまで延出される捨て水切り固定片１１と、捨て水切り固定片１１の端部から上方に立ち上げて野地端部カバー片５の内面に当接する当接片１２を備えて形成されている。当接片１２により野地板２０の側端部２０ａに指や定規等をあてがうことで位置合せがしやすくなる。また、野地端部カバー片５の内面が野地板２０の側端部２０ａだけでなく、当接片１２によっても当接支持されることになり、ケラバ包み本体Ａ２はより安定して取り付けられるものである。立ち上げ片２の上端には引っ掛け片２ａが水平片１側（捨て水切り固定片１１と反対側）に突設されている。捨て水切りＡ１は捨て水切り固定片１１の部分をビス等の固定具で野地板２０に固定することができる。
【００３６】
また、ケラバ包み本体Ａ２は、水平片１と略平行に位置する小口カバー片３と、小口カバー片３から外方（野地板２０の側端部２０ａの方）に向かって延出される上カバー片４と、上カバー片４の外方端部から下方に延出される野地端部カバー片５と、野地端部カバー片５から荒破風２１に向かって延出される接続片６と、接続片６の端部から荒破風２１の上部外面を覆う固定カバー片７とを備えて形成されている。上カバー片４と捨て水切り固定片１１とは上下に対向して略平行に配置されている。また、小口カバー片３には立ち上げ片２の引っ掛け片２ａと係止される係合片３ａが設けられている。その他の構成は上記と同様である。
【００３７】
そして、この実施の形態では、捨て水切りＡ１を施工し、この後、瓦などの屋根材を施工し、この後、ケラバ包み本体Ａ２を施工することができ、屋根材の取り付け後であってもケラバ包みＡを施工することができる。
【図面の簡単な説明】
【００３８】
【図１】本発明の実施の形態の一例を示し、（ａ）（ｂ）は一部の斜視図である。
【図２】同上の（ａ）（ｂ）は一部の拡大した斜視図、
【図３】同上の他の実施の形態の一例を示し、（ａ）（ｂ）は一部の斜視図である。
【図４】同上の他の実施の形態の一例を示し、（ａ）（ｂ）は一部の斜視図である。
【図５】同上の他の実施の形態の一例を示し、（ａ）（ｂ）（ｃ）は一部の斜視図である。
【図６】同上の他の実施の形態の一例を示し、（ａ）（ｂ）（ｃ）は一部の斜視図である。
【図７】同上の他の実施の形態の一例を示す一部の斜視図である。
【図８】同上の他の実施の形態の一例を示す一部の拡大した斜視図である。
【図９】同上の他の実施の形態の一例を示す一部の拡大した斜視図である。
【図１０】従来例を示し、（ａ）は一部の斜視図、（ｂ）は断面図である。
【符号の説明】
【００３９】
Ａ  ケラバ包み
Ａ１  捨て水切り
Ａ２  ケラバ包み本体
Ｂ  破風化粧板
Ｃ  Ｌ型固定具
１  水平片
２  立ち上げ片
３  小口カバー片
４  上カバー片
５  野地端部カバー片
６  接続片
７  固定カバー片
８  スライド片
１０  カバー片
１１  固定片
１２  当接片
１３  凸状部
２０  野地板
２０ａ  側端部
２１  荒破風
２１ａ  上端部
２１ｂ  下端部
２３  下端部
【図１】
0005221987.tif 000002
【図２】
0005221987.tif 000003
【図３】
0005221987.tif 000004
【図４】
0005221987.tif 000005
【図５】
0005221987.tif 000006
【図６】
0005221987.tif 000007
【図７】
0005221987.tif 000008
【図８】
0005221987.tif 000009
【図９】
0005221987.tif 000010
【図１０】
0005221987.tif 000011